(57)【要約】【課題】電磁輻射ノイズを遮断可能であって、小型化が可能なカメラモジュールを提供することにある。【解決手段】カメラモジュール１は、レンズ群２と、レンズ群２からの光が結像する撮像素子４と、撮像素子４が設けられるメイン基板５と、回路基板５を覆う非導電性の外装ケース６と、外装ケース６に埋設され、メイン基板５をシールドするシールド板２５とを備える。【選択図】図１
2007028430.tif 000002
【特許請求の範囲】
【請求項１】
光学レンズと、
前記光学レンズからの光が結像する撮像素子と、
前記撮像素子が設けられる回路基板と、
前記回路基板を収容する非導電性の外装ケースと、
前記外装ケースに埋設され、前記回路基板をシールドするシールド体と、
を備えたカメラモジュール。
【請求項２】
前記シールド体は、前記外装ケースからケース内部側へ突出する突出部を有し、
前記突出部は、前記回路基板を保持するとともに、前記回路基板のグランドに電気的に接続されている
請求項１に記載のカメラモジュール。
【請求項３】
前記外装ケースは、前記回路基板の外周を囲む側面部を含み、
前記突出部は、前記側面部から前記光学レンズの光軸に直交する方向に突出し、前記回路基板の前記光軸に直交する面に対して固定されている
請求項２に記載のカメラモジュール。
【請求項４】
前記外装ケースは、前記回路基板の前記光学レンズ側を覆う前面部を含み、
前記突出部は、前記前面部から前記光学レンズの光軸に平行な方向に突出し、前記回路基板の外周に対して固定されている
請求項２に記載のカメラモジュール。
【請求項５】
前記外装ケースは、前記レンズに当接して前記レンズを保持するレンズ保持部を更に含み、
前記前面部と前記レンズ保持部とは一体的に形成されている
請求項４に記載のカメラモジュール。
【請求項６】
前記回路基板の外周と、前記外装ケースの内側面との間には隙間がある
請求項２〜５のいずれか１項に記載のカメラモジュール。
【請求項７】
光学レンズと、
前記光学レンズからの光が結像する撮像素子と、
前記撮像素子が設けられる回路基板と、
前記回路基板の前記光学レンズ側を覆う非導電性の前面側ケース部材と、
前記前面側ケース部材に埋設され、前記回路基板をシールドする前面側シールド体と、
前記回路基板の前記光学レンズとは反対側に配置され、前記回路基板をシールドする背面側シールド体と、
を備えたカメラモジュール。
【請求項８】
前記回路基板の前記光学レンズとは反対側を覆う非導電性の背面側ケース部材を更に備え、
前記背面側シールド体は、前記背面側ケース部材に埋設されている
請求項７に記載のカメラモジュール。
【請求項９】
前記前面側シールド体には、前記前面側ケース部材からケース内部側へ突出し、前記回路基板を保持するとともに、前記回路基板のグランドに電気的に接続される突出部が設けられ、
前記背面側シールド体には、前記突出部に電気的に接続されるとともに、前記突出部を付勢するばね部が設けられている
請求項７又は８に記載のカメラモジュール。
【発明の詳細な説明】
【技術分野】
【０００１】
本発明は、カメラモジュールに関する。
【背景技術】
【０００２】
光学レンズからの像をＣＣＤ等の撮像素子に結像させるカメラでは、電磁輻射ノイズを遮断するために、撮像素子が設けられる基板をシールドするシールドケースが設けられている（例えば特許文献１）。図７は、従来のカメラモジュール６０１の断面図である。カメラモジュール６０１は、撮像素子６０２をシールドするシールドケース６０３が、樹脂性の外装ケース６０４の内部側に設けられている。また、外装ケースを金属により形成することにより、ノイズを遮断するカメラモジュールも知られている。
【特許文献１】特開２００３−４６８７５号公報
【発明の開示】
【発明が解決しようとする課題】
【０００３】
外装ケースを金属にした場合や樹脂性の外装ケースの内部側にシールドケースを配置した場合、シールドケースと、非導電材料により被膜されていない電子部品とが接触して電気的に接続されることを防止するために、電子部品とシールドケースとの間にクリアランスを確保する必要がある。特に、車両用のカメラモジュール等、振動や熱変形を受けやすいカメラモジュールは、クリアランスを大きくする必要がある。このため、シールドケースを有するカメラモジュール、とりわけ、振動下等において使用されるカメラモジュールは、外装ケースと電子部品とのクリアランス縮小による小型化が困難である。
【０００４】
本発明の目的は、電磁輻射ノイズを遮断可能であって、小型化が可能なカメラモジュールを提供することにある。
【課題を解決するための手段】
【０００５】
本発明の第１の観点のカメラモジュールは、光学レンズと、前記光学レンズからの光が結像する撮像素子と、前記撮像素子が設けられる回路基板と、前記回路基板を収容する非導電性の外装ケースと、前記外装ケースに埋設され、前記回路基板をシールドするシールド体とを備える。
【０００６】
好適には、前記シールド体は、前記外装ケースからケース内部側へ突出する突出部を有し、前記突出部は、前記回路基板を保持するとともに、前記回路基板のグランドに電気的に接続されている。
【０００７】
好適には、前記外装ケースは、前記回路基板の外周を囲む側面部を含み、前記突出部は、前記側面部から前記光学レンズの光軸に直交する方向に突出し、前記回路基板の前記光軸に直交する面に対して固定されている。
【０００８】
好適には、前記外装ケースは、前記回路基板の前記光学レンズ側を覆う前面部を含み、前記突出部は、前記前面部から前記光学レンズの光軸に平行な方向に突出し、前記回路基板の外周に対して固定されている。
【０００９】
好適には、前記外装ケースは、前記レンズに当接して前記レンズを保持するレンズ保持部を更に含み、前記前面部と前記レンズ保持部とは一体的に形成されている。
【００１０】
好適には、前記回路基板の外周と、前記外装ケースの内側面との間には隙間がある。
【００１１】
本発明の第２の観点のカメラモジュールは、光学レンズと、前記光学レンズからの光が結像する撮像素子と、前記撮像素子が設けられる回路基板と、前記回路基板の前記光学レンズ側を覆う非導電性の前面側ケース部材と、前記前面側ケース部材に埋設され、前記回路基板をシールドする前面側シールド体と、前記回路基板の前記光学レンズとは反対側に配置され、前記回路基板をシールドする背面側シールド体とを備える。
【００１２】
好適には、前記回路基板の前記光学レンズとは反対側を覆う非導電性の背面側ケース部材を更に備え、前記背面側シールド体は、前記背面側ケース部材に埋設されている。
【００１３】
好適には、前記前面側シールド体には、前記前面側ケース部材からケース内部側へ突出し、前記回路基板を保持するとともに、前記回路基板のグランドに電気的に接続される突出部が設けられ、前記背面側シールド体には、前記突出部に電気的に接続されるとともに、前記突出部を付勢するばね部が設けられている。
【発明の効果】
【００１４】
本発明のカメラモジュールによれば、電磁輻射ノイズを遮断し、小型化を図ることができる。
【発明を実施するための最良の形態】
【００１５】
第１の実施形態
図１は、本発明の第１の実施形態のカメラモジュール１を示す断面図である。カメラモジュール１は、例えば、道路上の白線の撮像あるいは車両の死角を撮像するための車載用のカメラとして構成されており、自動車の走行の制御を行う不図示のＥＣＵ（エンジン・コントロール・ユニット）により動作が制御される。カメラモジュール１から出力された電気信号は、ＥＣＵによって画像信号に変換され、例えば不図示のディスプレイに表示される。
【００１６】
カメラモジュール１は、レンズ群２と、レンズ群２を保持するレンズ鏡筒３と、レンズ群２からの光が結像する撮像素子４と、撮像素子４を保持するメイン基板５と、レンズ鏡筒３及びメイン基板５を保持する外装ケース６とを備えている。
【００１７】
レンズ群２は、例えば、被写体側（紙面上方側）から第１レンズ７、第２レンズ８、第３レンズ９が積層的に配置されて構成されている。各レンズ７〜９は例えばガラスやプラスチックにより構成されている。
【００１８】
レンズ鏡筒３は、外装ケース６の開口部６ａに挿入される挿入部３ａと、外装ケース６の被写体側において挿入部３ａから外周側へ広がる鍔部３ｂとを備えている。挿入部３ａの外周側には不図示のねじが切られており、開口部６ａには挿入部３ａのねじが螺合する不図示のみぞが切られている。従って、雄螺子としての挿入部３ａを雌螺子としての開口部６ａに対して回転させることにより、レンズ鏡筒３は光軸ＬＬ方向に進退可能である。
【００１９】
第１レンズ７は、鍔部３ｂの被写体側の面に当接し、リテーナ１１により被写体側から抑止されている。リテーナ１１はレンズ鏡筒３の側面に例えば接着剤や半田により固定されている。第２レンズ８及び第３レンズ９は、レンズ鏡筒３（挿入部３ａ）の開口部３ｃに圧入され、例えば接着剤や半田により固定されている。第２レンズ８及び第３レンズ９は、例えば開口部３ｃの壁面から突出する不図示の位置決め部に当接して光軸方向の位置が固定されている。なお、レンズ群２の適宜な位置にマスクや絞りを設けてもよいし、第１レンズ７の外周を第２レンズ８等のようにレンズ鏡筒３により固定するようにしてもよい。
【００２０】
撮像素子４は、例えばＣＣＤやＣＭＯＳにより構成されている。撮像素子４は、サブ基板１３に収納されている。サブ基板１３は、例えばアルミナを主成分としたセラミック配線基板により構成され、被写体側に形成された不図示のキャビティに撮像素子４を収納する。当該キャビティはガラスリッド１４により封止されている。サブ基板１３からは複数の端子１３ａが延出し、半田等によりメイン基板５に対して固定されている。端子１３ａにより撮像素子４とメイン基板５とは電気的に接続され、サブ基板１３はメイン基板５に支持されている。
【００２１】
メイン基板５は、例えば、ガラスクロスにエポキシ樹脂を含浸させたり、エポキシ樹脂にガラスフィラーを添加して形成されたプリント配線基板により構成されている。なお、ガラスクロスやガラスフィラーの添加量は、サブ基板１３の熱膨張率とメイン基板５の熱膨張率とが同等になるように設定されることが好ましい。メイン基板５の撮像素子４と反対側の面には、撮像素子４からの電気信号を処理するＩＣ１６や、メイン基板５と不図示のＥＣＵとを接続するケーブル１８を接続するためのコネクタ１７等が設けられている。
【００２２】
外装ケース６は、被写体側に配置される前面側ケース部材２１と、その背面側に配置される背面側ケース部材２２とを備え、前面側ケース部材２１及び背面側ケース部材２２により規定される収容空間に撮像素子４やメイン基板５を収容している。前面側ケース部材２１及び背面側ケース部材２２は、例えばポリカーボネイト（ＰＣ）やポリフタルアミド（ＰＰＡ）等の非導電性の樹脂により構成されて軽量化が図られている。
【００２３】
前面側ケース部材２１は、撮像素子４やメイン基板５の被写体側を覆う前面部２１ａと、前面部２１ａに連続し、撮像素子４やメイン基板５の外周を囲む側面部２１ｂとを備えている。前面部２１ａは、メイン基板５に平行な平面と、当該平面に傾斜して側面部２１ｂへ延びる傾斜面とを有し、全体として概ね錐体状に形成されており、中央側にはレンズ鏡筒３が挿入される上述の開口部６ａが設けられている。
【００２４】
前面側ケース部材２１には、撮像素子４やメイン基板５等をシールドするためのシールド板２５が埋設されている。換言すれば、シールド板２５の外側面及び内側面は非導電性材料により覆われている。シールド板２５は金属等の導電性材料により形成されている。金属は、例えば、アルミニウム、銅である。シールド板２５は、前面側ケース部材２１の前面部２１ａ及び側面部２１ｂに亘って埋設されており、全体形状は、前面側ケース部材２１と概ね相似し、前面部２５ａ及び側面部２５ｂを有している。
【００２５】
シールド板２５は、側面部２５ｂの背面側（紙面下方側）の端部において外装ケース６の内部側に折れ曲がって前面側ケース部材２１ａから突出するように形成されており、突出部２５ｃを有している。突出部２５ｃは光軸に直交する方向に突出しており、メイン基板５の背面に当接してメイン基板５を保持している。メイン基板５と突出部２５ｃとは半田５０を介して互いに固定されている。なお、メイン基板５は、メイン基板５の側面が前面側ケース部材２１の内側面に当接しないように固定されている。
【００２６】
背面側ケース部材２２は、前面側ケース部材２１の側面部２１ｂに連続する側面部２２ａと、メイン基板５の背面側（レンズ群２とは反対側）を覆う背面部２２ｂとを備えている。前面側ケース部材２１の側面部２１ｂと背面側ケース部材２２の側面部２２ａとは、例えば接着剤や半田により互いに固定されている。背面部２２ｂには、ケーブル１８を挿通するための開口部が開口する。
【００２７】
背面側ケース部材２２のケース内部側には、メイン基板５等をシールドするためのシールドケース２６が設けられている。シールドケース２６は、シールド板２５と同様に、金属等の導電性物質により形成されている。シールドケース２６は、背面側ケース部材２２の内側に嵌合する形状に形成されており、側面部２６ａ及び背面部２６ｂを備えている。背面部２６ｂには、ケーブル１８を挿通するための開口部が開口している。
【００２８】
側面部２６ａの前面側ケース部材２１側（紙面上方側）の端部２６ｃは、内側に湾曲して前面側ケース部材２１側を凸とする弧状に形成されている。端部２６ｃは、シールド板２５の突出部２５ｃの背面側ケース部材２２側（紙面下方側）に当接し、電気的に接続されている。また、端部２６ｃは、突出部２５ｃからの反力により背面側ケース部材２２側に弾性変形している。換言すれば、端部２６ｃは、突出部２５ｃを前面側ケース部材２１側に付勢する板ばねとして機能している。
【００２９】
なお、シールドケース２６は、背面側ケース部材２２に対して接着剤やねじ等の固定手段により固定されていてもよいし、背面側ケース部材２２の内側に嵌合挿入されるとともに、突出部２５ｃにより抑止されているだけでもよい。ただし、シールドケース２６の振動を抑える観点からは背面側ケース部材２２に対して固定手段により固定しておくことが好ましい。
【００３０】
ケーブル１８は、例えば外装ケース６内においてコネクタ１７から延びる複数のケーブル２７と、コネクタ２８を介して複数のケーブル２７に接続され、外装ケース６から延出するケーブル２９とを備え、コネクタ２８が背面部２２ｂの開口部に対して接着剤等により固定されることにより、背面側ケース部材２２に対して固定されている。
【００３１】
図２は、前面側ケース部材２１と、メイン基板５との取付構造を示す概略図であり、カメラモジュール１の背面側（図１の紙面下方）から見た斜視図である。突出部２５ｃは複数設けられている。例えば、前面側ケース部材２１は断面矩形に形成されており、突出部２５ｃは、矩形の４辺のうち３辺に配置され、合計３個設けられている。突出部２５ｃの光軸方向に見た形状は適宜に設定してよいが、例えば矩形である。
【００３２】
メイン基板５の背面側（図２の紙面手前側）には、突出部２５ｃに固定される固定部５ａが複数の突出部２５ｃに対応して複数設けられている。固定部５ａには、例えばメイン基板５のグランド層に接続された不図示の端子が設けられている。従って、突出部２５ｃにより基板５が保持されることにより、メイン基板５のグランド層とシールド板２５とは電気的に接続される。
【００３３】
以上のカメラモジュール１の製造方法について説明する。
【００３４】
シールド板２５が埋設された前面側ケース部材２１は、例えば、射出成形のためのキャビティ内にシールド板２５を配置し、前面側ケース部材２１の原材料を流し込むことにより形成される。
【００３５】
前面側ケース部材２１には、レンズ群２が取り付けられたレンズ鏡筒３が螺着される。次に、撮像素子４やサブ基板１３が取り付けられたメイン基板５の固定部５ａを突出部２５ｃに対して当接させる。
【００３６】
この状態において、ケーブル１８は不図示の検査装置に接続されており、撮像素子４により撮像された画像は検査装置により参照されて評価される。例えば、レンズ群２から所定距離だけ離れた試験用被写体にカメラモジュール１のピントが合っているか否か評価される。なお、撮像素子４により撮像された画像をモニタに表示し、作業者が画像を視認することにより画質を評価してもよい。
【００３７】
そして、画質の評価に基づいて、レンズ鏡筒３を前面側ケース部材２１に対して回転させて、レンズ群２とメイン基板５との光軸方向における位置を決め、また、メイン基板５を突出部２５ｃに当接させたまま光軸に直交する面内において平行移動又は回転移動させ、メイン基板５の位置を決める。
【００３８】
位置決めが終了すると、レーザ光若しくは赤外スポット光を突出部２５ｃに照射して、予め固定部５ａに形成されていた半田５０を溶着することにより、メイン基板５を前面側カバー部材２１に対して固定する。なお、シールドケース２６の端部２６ｃの付勢力が比較的大きく、当該付勢力によってメイン基板５とレンズ群２との距離が変化するおそれがある場合には、背面側ケース部材２２の取り付け後に、再度画質を評価しつつレンズ鏡筒３の位置を調整してもよい。
【００３９】
その後、シールドケース２６が内装された背面側ケース部材２２が前面側ケース部材２１に対して位置決めされ、例えば接着剤により固定される。
【００４０】
なお、以上のカメラモジュールの製造方法においては、一部又は全部の工程を自動化してもよいし、全ての工程を作業者が手作業により行ってもよい。
【００４１】
以上の実施形態によれば、前面側ケース部材２１にシールド板２５が埋設されていることから、メイン基板５上の電子部品等をシールド板２５に接触させるおそれがない。従って、メイン基板５を前面側ケース部材２１の内側面に接近させて配置し、小型化を図ることができる。
【００４２】
メイン基板５を突出部２５ｃに固定することから、前面側ケース部材２１に対する衝撃が突出部２５ｃの弾性により緩和されてメイン基板５に伝達される。従って、図７のように、メイン基板５を前面側ケース部材２１の樹脂製部分等に螺着させる場合に比較して、メイン基板５やメイン基板５に設けられた撮像素子４等の電子部品の破損が抑制される。さらに、突出部２５ｃは、メイン基板５を保持する保持部材と、シールド板２５をメイン基板５のグランド層に接続する接続部材とを兼ねているから、カメラモジュール１の小型化が図られる。
【００４３】
メイン基板５の側面と前面側ケース部材２１の内側面との間には隙間が設けられていることから、メイン基板５に伝わる衝撃を緩和するために突出部２５ｃが変形した場合にメイン基板５が前面側ケース部材２１に接触するおそれが低い。
【００４４】
突出部２５ｃは、光軸に略直交する面を有し、当該面にメイン基板５を当接させた状態でメイン基板５を光軸に直交する方向に移動させてメイン基板５の位置決めを行うことができ、組み立てが容易である。
【００４５】
背面側ケース部材２２にもシールドケース２６を設け、メイン基板５の前面側だけでなく背面側もシールドしていることから、より確実にノイズが遮断される。
【００４６】
シールドケース２６の端部２６ｃが突出部２５ｃを付勢していることから、見かけ上突出部２５ｃの弾性係数が大きくなる。従って、例えば、メイン基板５を保持するのに必要な強度を得ることが容易になる。
【００４７】
第２の実施形態
図３は第２の実施形態のカメラモジュール１０１を示す断面図である。なお、第１の実施形態のカメラモジュール１と同様の構成については、第１の実施形態と同様の符号を付す。
【００４８】
カメラモジュール１０１では、メイン基板５の背面側（紙面下方側）に設けられるシールド板１２６が背面側ケース部材１２２に埋設されている。なお、背面側ケース部材１２２及びシールド板１２６の概略形状は第１の実施形態の背面側ケース部材２２及びシールドケース２６と同様であり、全体として箱状に形成されている。
【００４９】
シールド板１２６の前面側ケース部材２１側の端部１２６ｃは、ケース内側に湾曲し、背面側ケース部材１２２の内側面から突出する。そして、端部１２６ｃは、第１の実施形態の突出部２６ｃと同様に、前面側ケース部材２１に埋設されたシールド板２５の突出部２５ｃに当接して電気的に接続されるとともに、突出部２５ｃを前面側に付勢する。
【００５０】
なお、シールド板１２６が埋設された背面側ケース部材１２２は、前面側ケース部材２１と同様に、例えば、キャビティ内にシールド板１２６を配置した状態でキャビティ内に樹脂等を流し込むことにより形成すればよい。製造方法のそれ以外の工程は第１の実施形態と同様である。
【００５１】
以上の第２の実施形態のカメラモジュール１０１によれば、第１の実施形態と同様の効果が得られる。さらに、シールド板１２６が非導電性の背面側ケース部材１２２に埋設されていることから、メイン基板５の背面側についても、部品等をシールド板１２６に接触させることなくシールド板１２６に接近させ、小型化を図ることができる。
【００５２】
第３の実施形態
図４は第３の実施形態のカメラモジュール２０１を示す断面図である。なお、第１の実施形態のカメラモジュール１と同様の構成については、第１の実施形態と同様の符号を付す。
【００５３】
第３の実施形態では、第１の実施形態におけるレンズ鏡筒３が設けられず、前面側ケース部材２２１にレンズ群２が取り付けられている。具体的には以下の通りである。
【００５４】
前面側ケース部材２２１は、撮像素子４やメイン基板５の被写体側を覆う前面部２２１ａと、前面部２２１ａに連続し、撮像素子４やメイン基板５の外周を囲む側面部２２１ｂとを備えている。前面部２２１ａは、全体として概ね錐体状に形成されており、中央側にはレンズ群２を保持するためのレンズ保持部２０６ａが形成されている。
【００５５】
レンズ保持部２０６ａは、射出成形等により前面部２２１ａ及び側面部２２１ｂとともに一体成形されている。第１レンズ７は、レンズ保持部２０６ａの被写体側の面に当接し、リテーナ２１１により被写体側から抑止されている。リテーナ２１１はレンズ保持部２０６ａの側面に例えば接着剤や半田により固定されている。第２レンズ８及び第３レンズ９は、レンズ保持部２０６ａに開口する開口部２０６ｂに圧入され、例えば接着剤や半田により固定されている。第２レンズ８及び第３レンズ９は、例えば開口部２０６ｂの壁面から突出する不図示の位置決め部に当接して光軸方向の位置が固定されている。なお、レンズ群２の適宜な位置にマスクや絞りを設けてもよいし、第１レンズ７の外周を第２レンズ８等のようにレンズ保持部２０６ａにより固定するようにしてもよい。
【００５６】
シールド板２２５は、第１の実施形態のシールド板２５と同様に、前面側ケース部材２２１に埋設されている。ただし、シールド板２２５の突出部２２５ｃは、前面側ケース部材２２１の前面部２２１ａからケース内側に突出している。
【００５７】
図５は、前面側ケース部材２２１と、メイン基板５との取付構造を示す概略図であり、カメラモジュール２０１の背面側（図４の紙面下方側）から見た斜視図である。突出部２２５ｃは、例えば、矩形状のメイン基板２０５の四隅に対応して４つ設けられている。突出部２２５ｃは、概ね軸状に形成されており、光軸ＬＬに平行に延びている。なお、突出部２２５ｃの根元側には、前面部２２１ａと一体成形されたボス２２１ｃが設けられている。なお、ボス２２１ｃは省略してもよい。
【００５８】
一方、メイン基板２０５には、突出部２２５ｃが挿通される貫通孔２０５ａが開口している。貫通孔２０５ａは、メイン基板２０５の縁部を切り欠いた切り欠き部でもあり、図５では、紙面上方の貫通孔２０５ａの切り欠かれた方向と、紙面下方の貫通孔２０５ａの切り欠かれた方向とが互いに直交する方向に設定された場合を例示している。
【００５９】
図６は、突出部２２５ｃを貫通孔２０５ａに挿通した状態で示す突出部２２５ｃの断面図である。突出部２２５ｃの断面形状はＣ字に形成されている。また、突出部２２５ｃの外径及び貫通孔２０５ａの内径は、突出部２２５ｃと貫通孔２０５ａとの間に隙間が生じるように設定されている。各部の寸法は、例えば、貫通孔２０５ａの内径Ｄ１が１．５ｍｍ、突出部２２５ｃの外径Ｄ２が１．０ｍｍ、突出部２２５ｃの厚さｔ１が０．１５ｍｍである。
【００６０】
メイン基板２０５は、例えば半田により突出部２２５ｃの側面（長手方向に対する側面、光軸ＬＬに平行な面）に対して固定されている。また、半田により固定されていることから、メイン基板２０５のグランド層は突出部２２５ｃに電気的に接続されている。なお、半田による固定をより堅固にするために、予めメイン基板２０５の貫通孔２０５ａの内周面に金属を主成分とした薄膜を形成してメタライズを施しておくことが好ましい。
【００６１】
カメラモジュール２０１の製造方法について説明する。
【００６２】
まず、前面側ケース部材２２１に対してレンズ群２を取り付けるとともに、リテーナ２１１により固定する（レンズ固定工程）。これにより、レンズ群２は、前面側ケース部材２２１に対して光軸方向、光軸周り及び光軸に直交する方向のいずれの方向においても移動不可能となる。
【００６３】
次に、撮像素子５やサブ基板１３が取り付けられたメイン基板２０５を前面側ケース部材２２１に対して固定する（基板固定工程）。具体的には、まず、メイン基板２０５の貫通孔２０５ａに突出部２２５ｃを挿通してメイン基板２０５の位置決めを行う。この際、ケーブル１８は不図示の検査装置あるいはモニタに接続されており、第１の実施形態と同様に、撮像素子５により撮像された画像が評価される。そして、当該評価に基づいてメイン基板２０５の位置決めが行われる。位置決めに際しては、光軸ＬＬに直交する面内の位置だけでなく、メイン基板２０５のレンズ群２に対する光軸方向の位置、光軸に対する傾きも調整される。その後、メイン基板２０５は突出部２２５ｃに対して半田により固定される。
【００６４】
以上の実施形態によれば、第１の実施形態と同様の効果が得られる。また、レンズ群２の光軸方向に延びる突出部２２５ｃの側面に対してメイン基板２０５が固定されることから、メイン基板２０５を突出部２２５ｃに沿って移動させて適宜な位置においてメイン基板２０５を固定することができる。すなわち、撮像素子４の光軸方向の位置を調整することにより、レンズ群２と撮像素子４との距離を適切に設定することができる。従って、レンズ鏡筒を省いて、レンズを保持するレンズ保持部２０６ａと、前面側ケース部材２２１の前面部２２１ａとを一体形成して小型化を図ることができる。
【００６５】
メイン基板２０５には、突出部２２５ｃが挿通される貫通孔２０５ａが開口することから、突出部２２５ｃに対するメイン基板２０５の取付が容易になるとともに、半田や接着剤等の液化した状態から固化する固定手段により固定した場合には、貫通孔２０５ａを設けない場合に比較して堅固にメイン基板２０５と突出部２２５ｃを固定することができる。具体的には図４に示すように、半田２５０が、突出部２２５ｃの周囲に満遍なく広がるとともに突出部２２５ｃの長手方向に沿ってメイン基板２０５の両面側へ広がった状態で、メイン基板２０５を突出部２２５ｃに対して固定できる。
【００６６】
貫通孔２０５ａは、メイン基板２０５の縁部を切り欠いた切り欠き部でもあることから、突出部２２５ｃやメイン基板２０５の熱膨張による突出部２２５ｃからメイン基板２０５への応力が、切り欠き部を近接又は離間させるメイン基板２０５の縁部側の変形により吸収され、メイン基板２０５の破損が防止される。また、突出部２２５ｃは、断面形状がＣ字であることから、突出部２２５ｃやメイン基板２０５の熱膨張によるメイン基板２０５から突出部２２５ｃへの応力が、突出部２２５ｃの切り欠き部を近接又は離間させる変形により吸収され、メイン基板２０５の破損が防止される。
【００６７】
本発明は以上の実施形態に限定されず、種々の態様で実施してよい。
【００６８】
カメラモジュールは車載用のものに限定されず、例えば携帯電話機用のものであってもよい。レンズ群には撮像素子に光像を結像するレンズが１枚でも含まれていればよい。
【００６９】
外装ケースは、回路基板の前面、背面若しくは外周を覆う部分のいずれかが非導電性材料により形成され、当該部分にシールド体が埋設されるものであればよい。例えば、前面側ケース部材及び背面側ケース部材のうち、一方はシールド体が埋設された非導電性のケース部材であり、他方は金属により形成された導電性のケース部材であってもよい。また、外装ケースは、前面側ケース部材と背面側ケース部材とが合体して構成されるものに限定されない。
【００７０】
回路基板を保持するための突出部の位置、形状は適宜に設定してよい。第１の実施形態や第２の実施形態のように、回路基板の前面又は背面を突出部に当接させ、回路基板を面に沿った方向（光軸に直交する方向）に移動させて位置決めできるように突出部を設ける場合には、突出部が光軸に直交する部分を有していればよい。従って、突出部は、外装ケースの側面部から突出していなくてもよい。ただし、側面部から突出するようにしたほうが突出部の形状は単純化される。また、第３の実施形態のように、回路基板の外周に突出部を当接させ、回路基板を面に直交する方向（光軸方向）に移動させて位置決めできるように突出部を設ける場合には、突出部が光軸に平行な部分を有していればよい。従って、突出部は、外装ケースの前面部から突出していなくてもよい。ただし、前面部から突出するようにしたほうが突出部の形状は単純化される。回路基板と突出部との固定は半田に限定されず、例えば、ボルト及びナットにより互いに固定してもよい。
【図面の簡単な説明】
【００７１】
【図１】本発明の第１の実施形態のカメラモジュールの構成を示す断面図。
【図２】図１のカメラモジュールの基板の取付構造を示す斜視図。
【図３】本発明の第２の実施形態のカメラモジュールの構成を示す断面図。
【図４】本発明の第３の実施形態のカメラモジュールの構成を示す断面図。
【図５】図４のカメラモジュールの基板の取付構造を示す斜視図。
【図６】図４のカメラモジュールの突出部の断面図。
【図７】従来のカメラモジュールの構成を示す断面図。
【符号の説明】
【００７２】
１…カメラモジュール、４…撮像素子、５…メイン基板（回路基板）、６…外装ケース、７、８、９…レンズ、２５…シールド板（シールド体）、２５ｃ…突出部。
【図１】
2007028430.tif 000003
【図２】
2007028430.tif 000004
【図３】
2007028430.tif 000005
【図４】
2007028430.tif 000006
【図５】
2007028430.tif 000007
【図６】
2007028430.tif 000008
【図７】
2007028430.tif 000009